(57)【要約】【課題】本発明は、ナビゲーション装置、ナビゲーション方法、ナビゲーション装置のプログラム及びナビゲーション装置のプログラムを記録した記録媒体に関し、特にカーナビゲーション装置に適用して、特定の車両に限った交通規制を考慮してユーザーを道案内することができるようにする。【解決手段】本発明は、搭載された車両の特徴を示す情報により、記憶手段８に保持した特定の車両に対する交通規制の情報を判定し、該判定結果に基づいて、車両の駆動系に応じて、地図上における交通規制の表示を切り換える。【選択図】　　　　図１
2004053492.tif 000002
【特許請求の範囲】
【請求項１】
目的地の入力を受け付けて移動経路を検索し、地図を表示するナビゲーション装置において、
特定の車両に対する交通規制の情報を保持する記憶手段と、
搭載された車両の特徴を示す情報を取得する情報取得手段と、
前記車両の特徴を示す情報により前記交通規制の情報を判定し、該判定結果に基づいて、前記車両の駆動系に応じて、前記地図上における交通規制の表示を切り換える制御手段と
を備えることを特徴とするナビゲーション装置。
【請求項２】
前記車両の特徴を示す情報により前記交通規制の情報を判定して、前記車両の駆動系により進入が禁止される領域を迂回して前記移動経路を検出する
ことを特徴とする請求項１に記載のナビゲーション装置。
【請求項３】
前記制御手段は、
前記車両の特徴を示す情報により前記交通規制の情報を判定して、前記車両の駆動系により進入が禁止される領域を検出し、該領域内への前記車両によるユーザーの道案内を拒否する
ことを特徴とする請求項１に記載のナビゲーション装置。
【請求項４】
前記制御手段は、
前記車両の特徴を示す情報により前記交通規制の情報を判定して、前記車両の駆動系により進入が禁止される領域を検出し、該領域内への接近をユーザーに警告する
ことを特徴とする請求項１に記載のナビゲーション装置。
【請求項５】
前記記憶手段は、
前記交通規制の情報を更新する
ことを特徴とする請求項１に記載のナビゲーション装置。
【請求項６】
前記情報取得手段は、
前記車両に保持された自動車検査証の内容を記録した記録媒体より、前記車両の特徴を示す情報を取得する
ことを特徴とする請求項１に記載のナビゲーション装置。
【請求項７】
前記記録媒体に記録された情報が、
有料道路における通行料金の算出に供される情報である
ことを特徴とする請求項６に記載のナビゲーション装置。
【請求項８】
目的地の入力を受け付けて移動経路を検索し、地図を表示するナビゲーション方法において、
搭載された車両の特徴を示す情報により、記憶手段に保持した特定の車両に対する交通規制の情報を判定し、該判定結果に基づいて、前記車両の駆動系に応じて、前記地図上における交通規制の表示を切り換える
ことを特徴とするナビゲーション方法。
【請求項９】
ナビゲーション装置に搭載されたコンピュータに所定の処理手順を実行させるナビゲーション装置のプログラムにおいて、
前記所定の処理手順が、
搭載された車両の特徴を示す情報により、記憶手段に保持した特定の車両に対する交通規制の情報を判定し、該判定結果に基づいて、前記車両の駆動系に応じて、前記地図上における交通規制の表示を切り換える処理である
ことを特徴とするナビゲーション装置のプログラム。
【請求項１０】
ナビゲーション装置に搭載されたコンピュータに所定の処理手順を実行させるナビゲーション装置のプログラムを記録した記録媒体において、
前記所定の処理手順が、
搭載された車両の特徴を示す情報により、記憶手段に保持した特定の車両に対する交通規制の情報を判定し、該判定結果に基づいて、前記車両の駆動系に応じて、前記地図上における交通規制の表示を切り換える処理である
ことを特徴とするナビゲーション装置のプログラムを記録した記録媒体。
【発明の詳細な説明】
【０００１】
【発明の属する技術分野】
本発明は、ナビゲーション装置、ナビゲーション方法、ナビゲーション装置のプログラム及びナビゲーション装置のプログラムを記録した記録媒体に関し、例えばカーナビゲーション装置に適用することができる。本発明は、搭載された車両の特徴を示す情報により、記憶手段に保持した特定の車両に対する交通規制の情報を判定し、該判定結果に基づいて、車両の駆動系に応じて、地図上における交通規制の表示を切り換えることにより、特定の車両に限った交通規制を考慮してユーザーを道案内することができるようにする。
【０００２】
【従来の技術】
従来、カーナビゲーション装置においては、自動車に搭載されて各種の道案内に利用されるようになされている。すなわちカーナビゲーション装置においては、ユーザーにより目的地の登録を受け付け、現在位置よりこの目的地に向かうまでの移動経路を検索する。さらにこのようにして検索した移動経路を地図により表示し、さらにはこの移動経路により移動するように音声等によりユーザーを道案内する。
【０００３】
【発明が解決しようとする課題】
ところで特定の地域によっては、特定の車両に限って通行が規制される場合がある。具体的に、東京都においては、平成１５年１０月からいわゆるディーゼル車規制が実施され、粒子状物質を所定値以上排出するディーゼル車については、都内への進入が禁止される。
【０００４】
これによりカーナビゲーション装置において、このような特定の車両に限った交通規制を考慮して道案内することができれば、一段とユーザーの利便性等を向上できると考えられる。すなわち一般の車両に搭載された場合に、このような交通規制の領域を通行する移動経路により道案内する場合でも、このような特定の車両に搭載された場合には、このような交通規制の領域を迂回して道案内することにより、このような交通規制の目的を達成することができる。またこれによりユーザーにおいては、このような交通規制の地域へ誤って立ち入らないようにすることができ、交通違反による負担等を有効に回避することができる。
【０００５】
このような方法として、特開平１０−２３２１３７号公報においては、一度検索した移動経路に基づいて情報センタから地域の特性情報を取得し、この特性情報により移動経路を検討する方法が提案されるようになされている。しかしながらカーナビゲーション装置を利用する車両の数にあっては、日本国内で数１００万台にも上り、この方法の場合、このような多数の車両毎で検索される移動経路毎に、それぞれ地域の特性情報を提供することが必要なことにより、実際上、このようなシステムを構築しようとすると、このような特性情報を提供する情報センタの構成が著しく煩雑になる問題がある。
【０００６】
本発明は以上の点を考慮してなされたもので、このような特定の車両に限った交通規制を考慮してユーザーを道案内することができるナビゲーション装置、ナビゲーション方法、ナビゲーション装置のプログラム及びナビゲーション装置のプログラムを記録した記録媒体を提案しようとするものである。
【０００７】
【課題を解決するための手段】
かかる課題を解決するため請求項１の発明においては、目的地の入力を受け付けて移動経路を検索して地図を表示するナビゲーション装置に適用して、特定の車両に対する交通規制の情報を保持する記憶手段と、搭載された車両の特徴を示す情報を取得する情報取得手段と、車両の特徴を示す情報により交通規制の情報を判定し、該判定結果に基づいて、車両の駆動系に応じて、地図上における交通規制の表示を切り換える制御手段とを備えるようにする。
【０００８】
また請求項８の発明においては、目的地の入力を受け付けて移動経路を検索して地図を表示するナビゲーション方法に適用して、搭載された車両の特徴を示す情報により、記憶手段に保持した特定の車両に対する交通規制の情報を判定し、該判定結果に基づいて、車両の駆動系に応じて、地図上における交通規制の表示を切り換える。
【０００９】
また請求項９の発明においては、ナビゲーション装置に搭載されたコンピュータに所定の処理手順を実行させるナビゲーション装置のプログラムにおいて、この所定の処理手順が、搭載された車両の特徴を示す情報により、記憶手段に保持した特定の車両に対する交通規制の情報を判定し、該判定結果に基づいて、車両の駆動系に応じて、地図上における交通規制の表示を切り換える処理であるようにする。
【００１０】
また請求項１０の発明においては、ナビゲーション装置に搭載されたコンピュータに所定の処理手順を実行させるナビゲーション装置のプログラムを記録した記録媒体において、この所定の処理手順が、搭載された車両の特徴を示す情報により、記憶手段に保持した特定の車両に対する交通規制の情報を判定し、該判定結果に基づいて、車両の駆動系に応じて、地図上における交通規制の表示を切り換える処理であるようにする。
【００１１】
請求項１の構成によれば、ナビゲーション装置に適用して、特定の車両に対する交通規制の情報を保持する記憶手段と、搭載された車両の特徴を示す情報を取得する情報取得手段と、車両の特徴を示す情報により交通規制の情報を判定し、該判定結果に基づいて、車両の駆動系に応じて、地図上における交通規制の表示を切り換える制御手段とを備えることにより、搭載されてなる車両に限った交通規制については、この交通規制を表示し、搭載されてなる車両が適用を受けない交通規制については、この交通規制を表示しないようにすることができる。これにより特定の車両に限った交通規制を考慮してユーザーを道案内することができる。
【００１２】
これにより請求項８、請求項９、請求項１０の構成によれば、特定の車両に限った交通規制を考慮してユーザーを道案内することができるナビゲーション方法、ナビゲーション装置のプログラム及びナビゲーション装置のプログラムを記録した記録媒体を提供することができる。
【００１３】
【発明の実施の形態】
以下、適宜図面を参照しながら本発明の実施の形態を詳述する。
【００１４】
（１）第１の実施の形態
（１−１）実施の形態の構成
図１は、本発明の実施の形態に係るカーナビゲーション装置を示すブロック図である。このカーナビゲーション装置１は、車両情報記録部２、ＥＴＣ（Ｅｌｅｃｔｒｉｃ　Ｔｏｌｌ　Ｃｏｌｌｅｃｔｉｏｎ　Ｓｙｓｔｅｍ　）端末装置３と車内ＬＡＮ（Ｌｏｃａｌ　Ａｒｅａ　Ｎｅｔｗｏｒｋ）により接続される。
【００１５】
ここで車両情報記録部２は、このカーナビゲーション装置１が搭載されてなる車両の特徴を示す情報を保持する記録媒体により構成され、この保持した情報をカーナビゲーション装置１、ＥＴＣ端末装置３に通知する。ここでこの車両の特徴を示す情報は、車両を特定する情報と、交通規制の各種条件に対応する情報とにより構成される。この実施の形態では、自動車検査証に記録された事項、ディーゼル車にあっては、これに加えて粒子状物質減少装置の有無が車両の特徴を示す情報として記録媒体の１つであるメモリに記録され、このメモリが内容を改竄困難に車両に保持されるようになされている。
【００１６】
車両情報記録部２は、この記録媒体に保持した情報をカーナビゲーション装置１、ＥＴＣ端末装置３からの要求により通知する。具体的に、車両の特徴を示す情報は、いわゆるナンバーである自動車登録番号、登録年月日、自動車の種類、用途、車名、型式、車両重量、原動機の形式、高さ、燃料の種類等の情報により構成されるようになされている。因みに、この実施の形態において、例えばディーゼルエンジン車、ガソリンエンジン車、ガソリンエンジンによるハイブリッド車については、それぞれ０００、００１、０１０のコードが割り当てられて原動機の種類が示され、ＬＰＧを燃料とするエンジンによる車両、メタノールを燃料とするによるエンジンによる車両、電気自動車には、それぞれ０１１、１００、１０１のコードが割り当てられて原動機の種類が示されるようになされている。
【００１７】
ＥＴＣ端末装置３は、ＥＴＣシステムの車載端末装置であり、有料道路の料金所を通過する際に、料金の支払い処理を実行する。ＥＴＣ端末装置３は、この処理の際に、車両情報記録部２から車両重量の情報を取得して料金所側装置に通知し、この通知により料金所側装置から通知される料金を支払う。これによりこの実施の形態では、自動車検査証の内容を記録した記録媒体を車両に保持し、この記録媒体に記録された情報を有料道路における通行料金の算出に利用することにより、車両重量に応じた細かな設定により通行料金を徴収できるようになされている。
【００１８】
このカーナビゲーション装置１において、位置情報測定システム部４は、このカーナビゲーション装置１が搭載されてなる車両の現在位置を検出し、検出した現在位置の位置情報をシステムコントローラ７に通知する。すなわち位置情報測定システム部４において、ＧＰＳ（Ｇｌｏｂａｌ　Ｐｏｓｉｔｉｏｎｉｎｇ　Ｓｙｓｔｅｍ　）受信部５は、ＧＰＳ衛星から送出される位置計測用の電波をアンテナ５Ａで受信し、この受信した電波を処理することにより、現在位置を検出する。また位置情報測定システム部４において、ＶＩＣＳ（Ｖｅｈｉｃｌｅ　Ｉｎｆｏｒｍａｔｉｏｎ　Ｃｏｍｍｕｎｉｃａｔｉｏｎ　Ｓｙｓｔｅｍ）受信部６は、道路に沿って配置されたビーコンから出力される電波をアンテナ６Ａで受信し、この受信した電波を処理することにより、このビーコンの設置箇所を基準にして現在位置を検出する。位置情報測定システム部４においては、このようにしてＧＰＳ受信部５で検出した現在位置をＶＩＣＳ受信部６で検出した現在位置により補って現在位置を検出し、この検出結果をシステムコントローラ７に通知するようになされ、これにより地理的条件等によりＧＰＳ受信部５で検出される現在位置の検出精度が著しく劣化した場合でも、十分な検出精度を確保するようになされている。
【００１９】
ＶＩＣＳ受信部６は、このような現在位置の情報に加えて、一時的な交通規制の情報等を取得し、システムコントローラ７に通知する。ここでこのような一時的な交通規制は、例えばお祭り等のイベント、地震、火山噴火等の自然災害、火災、事故等の災害、要人の警備等の原因による一時的な車両の通行規制である。一時的な交通規制の情報等には、このような通行規制が実施される領域、通行規制の対象となる車両を特定する情報、通行規制の期間等が割り当てられるようになされている。
【００２０】
地図情報読み出しシステム部８は、ハードディスクドライブ８Ａに、移動経路の検索に必要な情報、地図情報、各種通行規制の情報を記録して保持し、システムコントローラ７の制御により、これら記録した地図情報、各種交通規制の情報をシステムコントローラ７に出力する。ここで地図情報は、地図の表示に使用する情報であり、このカーナビゲーション装置１では、この地図の表示により現在位置、目的地までの移動経路等を表示するようになされている。
【００２１】
これに対して各通行規制の情報は、一方通行、車高制限、重量制限等の各種規制の内容、これらの規制が適用される領域、期間の情報により形成される。この実施の形態においては、この通行規制の情報に、特定車両に対する通行規制の情報、季節による通行規制の情報が割り当てられるようになされている。ここでこの特定の車両に対する通行規制は、例えば上述したディーゼル車規制であり、季節による通行規制は、例えば上高地における夏場の一般車の乗り入れ規制である。
【００２２】
なおこのような各種情報を記録する記録装置においては、ハードディスクドライブ８Ａに代えて、又はハードディスクドライブ８Ａに加えて、ＣＤ−ＲＯＭ、ＤＶＤ−ＲＯＭ等の光ディスク装置、メモリカード等の各種記録装置を適用することができる。またこのような地図情報、各種通行規制の情報の記録においては、このカーナビゲーション装置１の生産時において事前に記録する場合の他、インターネット等のネットワーク等を介したダウンロードにより、さらには光ディスク、メモリカード等の記録媒体からのダウンロードにより、適宜、追加、更新することが考えられる。
【００２３】
表示部９は、液晶表示パネルにより構成され、現在位置、移動経路に係る地図、交差点の形状等の情報を表示する。操作部１０は、このカーナビゲーション装置１の操作パネルに配置された操作子、リモートコマンダーにより構成され、ユーザーにより目的地の設定等の各種の操作をシステムコントローラ７に通知する。
【００２４】
システムコントローラ７は、カーナビゲーション装置１全体の動作を制御するコンピュータであり、図示しないプログラムメモリに事前にインストールされたプログラムを実行することにより、表示部９に地図等を表示する。この一連の処理において、システムコントローラ７は、車両情報記録部２に保持した車両の特徴を示す情報と、地図情報読み出しシステム部８から得られる交通規制の情報、位置情報測定システム部４から得られる一時的な交通規制の情報とにより、表示部９の表示を切り換え、さらには移動経路を設定する。なおこのシステムコントローラ７のプログラムにおいては、事前のインストールに代えて、インターネット等のネットワーク等を介してダウンロードしたプログラムのインストールにより、さらには各種の記録媒体により提供されるプログラムのインストールにより、提供することができる。因みにこのような記録媒体としては、光ディスク、磁気ディスク、磁気テープ等の記録媒体を適用することができる。
【００２５】
すなわち図２は、ユーザーにより目的地が入力されて移動経路の検索が指示された場合におけるシステムコントローラ７の処理手順を示すフローチャートである。システムコントローラ７は、ユーザーにより移動経路の検索が指示されると、ステップＳＰ１からステップＳＰ２に移り、位置情報測定システム部４より現在位置の情報を取得し、この現在位置の情報とユーザーにより入力された目的地の情報とにより、移動経路を検索する。
【００２６】
続いてシステムコントローラ７は、ステップＳＰ４に移り、表示部９を介してスクランブルモードにより移動経路を設定するか否かを確認する。ここでスクランブルモードは、特定の車両に対する通行規制、季節による通行規制等の、重大な事故の発生を防止する目的の交通規制を無視して移動経路を設定するモードであり、例えば急病人を病院に搬送する場合等の緊急時に選択されるモードである。システムコントローラ７は、この表示におけるユーザーの選択により、スクランブルモードが選択されると、ステップＳＰ３からステップＳＰ４に移り、ステップＳＰ２で検索した移動経路により移動経路を設定し、ステップＳＰ５に移ってこの処理手順を終了する。
【００２７】
これに対して緊急時以外においては、ステップＳＰ３で否定結果が得られることにより、システムコントローラ７は、この場合、ステップＳＰ３からステップＳＰ６に移る。ここでシステムコントローラ７は、ステップＳＰ２で検索した移動経路についての交通規制の情報を地図情報読み出しシステム部８から取得する。また位置情報測定システム部４から一時的な交通規制の情報を取得する。さらにこのようにして取得した交通規制の情報を、車両情報記録部２に保持した車両の特徴を示す情報により判定し、これによりステップＳＰ２で検出した移動経路による移動において、このカーナビゲーション装置１が搭載されてなる車両の通行が禁止されるか否か判断する。
【００２８】
ここで何ら通行が禁止されない場合、システムコントローラ７は、ステップＳＰ６からステップＳＰ４に移り、ステップＳＰ２で検索した移動経路により移動経路を設定し、ステップＳＰ５に移ってこの処理手順を終了する。
【００２９】
これに対してステップＳＰ６で肯定結果が得られると、システムコントローラ７は、ステップＳＰ７に移り、このような通行が禁止される領域が、目的地を含んでいるか否か判断する。ここで否定結果が得られると、システムコントローラ７は、ステップＳＰ７からステップＳＰ２に戻り、改めて移動経路を検索する。
【００３０】
これによりこの図３に示すように、例えば現在地点であるＡ地点からＢ地点までの移動経路を検索する場合、システムコントローラ７は、例えば最短ルート等の条件により検索して得られる移動経路Ｒ１において、何らこのカーナビゲーション装置１が搭載されてなる車両の通行を禁止する領域が含まれていない場合、このようにして移動経路Ｒ１によりユーザーを道案内するようになされている。なお図３の例においては、ディーゼルエンジン車の進入を規制する領域ＡＲ１が移動経路Ｒ１に含まれる場合であり、このカーナビゲーション装置１が搭載されてなる車両がガソリンエンジン車、ＬＰＧによる車、電気自動車である場合、この移動経路Ｒ１によりユーザーを道案内することになる。
【００３１】
これに対して例えばこの移動経路Ｒ１に、このカーナビゲーション装置１が搭載されてなる車両の通行を禁止する領域ＡＲ１が含まれている場合、改めて移動経路を検索し、このような領域を含まない移動経路Ｒ２によりユーザーを道案内する。なおこの図３の例では、このカーナビゲーション装置１を搭載した車両がディーゼルエンジン車であり、かつ粒子状物質減少装置を搭載していない場合に、始めに検出された移動経路Ｒ１に代えて、領域ＡＲ１を迂回する移動経路Ｒ２によりユーザーを道案内する例である。
【００３２】
また図４に示すように、例えば大規模な自然災害により全ての交通手段の進入が禁止される場合、この進入が禁止される領域ＡＲ２を迂回する移動経路Ｒ３によりユーザーを道案内する。
【００３３】
これに対してステップＳＰ７において肯定結果が得られると、この場合、迂回経路が無いことにより、システムコントローラ７は、ステップＳＰ７からステップＳＰ８に移り、この目的地を含む進入が禁止される領域の外から目的地までの間で、利用可能な交通手段を検索する。さらに続くステップＳＰ９において、このようにして検索した交通手段を利用可能な地点であって、進入が禁止される領域の外の地点までの間で、移動経路を検索し、ステップＳＰ４に移る。これによりこの場合、システムコントローラ７は、代替えの移動手段をユーザーに通知して、車両による目的地までの道案内を拒否するようになされている。
【００３４】
これにより図５に示すように、例えば目的地であるＢ地点が電気自動車のみ通行が許可される領域ＡＲ３に含まれる場合であって、このカーナビゲーション装置１が搭載されている車両が電気自動車の場合、このＢ地点までの移動経路Ｒ４によりユーザーを道案内する。これに対してこのような目的地に対して、このカーナビゲーション装置１が搭載されている車両がガソリンエンジン車、ハイブリッド車等の場合、例えば領域ＡＲ３の外側に設けられたＣ地点までユーザーを道案内し、このＣ地点から目的地までの間については、例えば電気自動車による公共交通機関を利用するように、ユーザーに指示する。
【００３５】
かくするにつきカーナビゲーション装置１において、システムコントローラ７は、このようにして設定した移動経路により表示部９に地図の表示をしてユーザーを道案内し、また進路の変更等を音声によりユーザーに通知し、これによりユーザーを道案内するようになされている。
【００３６】
さらにこのようにして地図を表示してユーザーを道案内する際に、車両の特徴を示す情報により交通規制の情報を判定し、この判定結果に基づいて地図上における交通規制の表示を切り換える。すなわち図６は、図３との対比により鳥瞰図により地図を表示して移動経路Ｒ１によりユーザーを道案内する場合において、ディーゼル車に対する交通規制の領域直前における地図の表示を示す平面図である。これに対して図７は、図６との対比により、図３における移動経路Ｒ２により道案内する場合であり、直進方向に交通規制の領域が存在する場合に、何ら通行が制限されない場合には、直進可能に地図を表示するのに対し、交通が制限される場合には、この例では進入禁止の標識Ｍ１を大きく表示する。これによりこの実施の形態においては、車両の特徴を示す情報により、特定の車両に対する交通規制の情報を判断して、地図の表示を切り換えるようになされている。
【００３７】
ところでこのようにして地図を表示してユーザーを道案内する場合でも、誤って進入が禁止される領域に進入する恐れもある。またユーザーを道案内していない場合には、このような誤った進入禁止の領域への進入頻度が高くなると考えられる。また、例えば高速道路の移動中に、事故、災害等により現在走行中の区間が通行禁止になる場合もあり、この場合には、必然的に、通行禁止の領域に進入していることになる。また長距離の移動において、出発地点近傍におけるＶＩＣＳによっては案内されていなかった交通規制が、移動途中で初めて案内される場合もある。
【００３８】
このためシステムコントローラ７は、一定の時間間隔により図８に示す処理手順を実行し、進入禁止の領域への進入を防止し、また進入禁止の領域へ進入した場合には、この領域からの脱出をユーザーに指示する。
【００３９】
すなわちシステムコントローラ７は、ステップＳＰ１１からステップＳＰ１２に移り、位置情報測定システム部４より現在位置の情報、一時的な交通規制の情報を取得する。続いてシステムコントローラ７は、ステップＳＰ１３に移り、ここで現在走行中のモードがスクランブルモードか否か判断し、ここで肯定結果が得られると、ステップＳＰ１３からステップＳＰ１４に移る。これによりカーナビゲーション装置１では、例えば急病人を緊急に搬送している場合等にあっては、急病人の搬送を優先するようになされている。
【００４０】
これに対してステップＳＰ１３で否定結果が得られると、システムコントローラ７は、ステップＳＰ１３からステップＳＰ１５に移り、交通規制の地域内に進入しているか否か判断する。ここで肯定結果が得られると、システムコントローラ７は、ステップＳＰ１５からステップＳＰ１６に移り、直ちに進入禁止の領域から脱出する旨のメッセージを表示部９に表示し、ユーザーに注意を促す。なおシステムコントローラ７は、この場合、適宜、進入禁止の領域に進入することとなった原因、脱出方法を併せてユーザーに通知する。因みに、このような通知においては、例えば「○○インターから○○インターまでの間、事故により通行禁止。この先の、○○インターから一般路を走行して下さい。」とのメッセージを表示することが考えられる。
【００４１】
なおシステムコントローラ７は、ハードディスクドライブ８ＡからステップＳＰ１２で取得した現在位置情報を基準にして現在位置近傍について交通規制の情報を取得し、このようにして取得した現在位置情報と、ステップＳＰ１２で取得した一時的な交通規制の情報とをこのカーナビゲーション装置１が搭載されてなる車両の特徴を示す情報により判定し、これによりこのステップＳＰ１５における判断処理と、続くステップＳＰ１７における判断処理とを実行する。
【００４２】
システムコントローラ７は、このようにしてユーザーに警告を通知すると、ステップＳＰ１４に移ってこの処理手順を終了する。なお先の移動経路の検索によりユーザーを道案内している場合、システムコントローラ７は、続いてこのような進入禁止の領域を迂回するように、改めで移動経路を検索し、ユーザーを道案内するようになされている。
【００４３】
これに対してステップＳＰ１５で否定結果が得られると、システムコントローラ７は、ステップＳＰ１５からステップＳＰ１６に移り、進入禁止の領域に進入する恐れがあるか否か判断する。ここでシステムコントローラ７は、図２で検索した移動経路によりユーザーを道案内している状態で、この移動経路による今後の移動で移動経路に進入禁止の領域が含まれることとなった場合、進入禁止の領域に進入する恐れがあると判断する。またこのように道案内していない場合にあって、進入禁止の領域に沿って走行している場合、さらには進入禁止の領域に向かって走行している場合、進入禁止の領域に進入する恐れがあると判断する。
【００４４】
このように進入禁止の領域に進入する恐れがある場合、システムコントローラ７は、ステップＳＰ１７からステップＳＰ１８に移り、進入禁止の領域に進入する恐れがある旨、ユーザーに警告を与える。また併せてこのような領域を上述したと同様にして地図により表示し、ステップＳＰ１４に移ってこの処理手順を終了する。なおシステムコントローラ７は、この場合も、先の移動経路の検索によりユーザーを道案内している場合、続いてこのような進入禁止の領域を迂回するように、改めで移動経路を検索し、ユーザーを道案内するようになされている。
【００４５】
これに対してステップＳＰ１７で否定結果が得られると、システムコントローラ７は、ステップＳＰ１７からステップＳＰ１４に移ってこの処理手順を終了する。
【００４６】
これらの処理によりカーナビゲーション装置１では、例えば図４に示すように、当所、移動経路Ｒ１により道案内していて、この移動経路Ｒ３に自然災害等による進入禁止の領域ＡＲ２が設定された場合、この領域ＡＲ２を迂回するように、移動経路Ｒ３を検索し直し、この検索し直した移動経路Ｒ３によりユーザーを道案内するようになされている。
【００４７】
これによりこの実施の形態において、地図データ読み出しシステム部８は、特定の車両に対する交通規制の情報を保持する記憶手段を構成するのに対し、車両情報記録部２との間のインターフェースは、搭載された車両の特徴を示す情報を取得する情報取得手段を構成するようになされている。また、システムコントローラ６は、車両の特徴を示す情報により交通規制の情報を判定し、該判定結果に基づいて、車両の駆動系に応じて、地図上における交通規制の表示を切り換える制御手段とを構成するようになされている。
【００４８】
（１−２）実施の形態の動作
以上の構成において、このカーナビゲーション装置１では（図１）、車両に搭載されたメモリによる記録媒体である車両情報記録部２から、このカーナビゲーション装置１が搭載されてなる車両の特徴を示す情報がシステムコントローラ７で取得され、これによりこの車両のエンジン形式、粒子状物質減少装置の有無による駆動系の情報が、車両総重量、車の高さ等の情報と共に検出される。
【００４９】
またＶＩＣＳ受信部６を介して、ＶＩＣＳにより提供される一時的な交通規制の情報が取得される。
【００５０】
カーナビゲーション装置１では、例えばユーザーが現在位置近傍の地図の表示を指示した場合、システムコントローラ７の制御により、位置情報測定システム部４で検出される現在位置の情報を基準にして、地図データ読み出しシステム部８から現在位置近傍の地図データが読み出され、この地図データにより現在位置近傍の地図が表示部９に表示される。
【００５１】
このときカーナビゲーション装置１では、車両情報記録部２から取得した車両の特徴を示す情報より、地図データ読み出しシステム部８に保持された特定の車両に対する通行規制の情報、他の交通規制の情報が判定され、これによりこのカーナビゲーション装置１が搭載されてなる車両に適用される交通規制が検出される。またこのようにして検出した交通規制により、地図の表示が切り換えられる。すなわち例えばディーゼルエンジン車を運転するユーザーにおいては、このような車両の進入を禁止する領域に進入しないように、このような領域については進入禁止が表示される。これによりこのカーナビゲーション装置１では、特定の車両に限った交通規制を考慮してユーザーを道案内することができる。
【００５２】
すなわち例えば粒子状物質減少装置を設けていないディーゼルエンジン車を運転するユーザーにおいては、このような車両の進入を禁止する領域に進入しないように、このような領域への接近により警告が与えられ、また誤って進入した場合には、速やかに脱出するように、警告が与えられる。また同様に、電気自動車しか進入が許可されていない領域については、ガソリンエンジン車等を運転するユーザーに対して、このような領域への接近により警告が与えられ、また誤って進入した場合には、速やかに脱出するように、警告が与えられる。
【００５３】
またこのようなエリアによる規制に加えて、車両の特徴を示す情報に割り当てられた車の高さ、総重量等による交通規制の情報により、交通規制の情報を判定して同様の処理を実行することにより、高さ制限、重量制限を逸脱して走行しないように、このような制限のある道路への接近により警告が与えられ、また誤って進入した場合には、速やかに脱出するように、警告が与えられる。
【００５４】
また車両の特徴を示す情報により、ＶＩＣＳ受信部６で取得される一時的な交通規制の情報が判定され、同様にしてユーザーに警告が与えられることにより、例えばお祭り等により一時的に交通が規制される領域への接近により警告が与えられ、また誤って進入した場合には、速やかに脱出するように、警告が与えられる。
【００５５】
これによりこの実施の形態においては、このような交通規制を実行あらしむることができ、また違反等によるユーザーの負担を軽減することができる。
【００５６】
これに対してユーザーにより目的地が設定されて道案内の指示が得られると、カーナビゲーション装置１では、位置情報測定システム部４で検出される現在位置から目的地までの移動経路が検索される。カーナビゲーション装置１では、このようにして検出される移動経路により、地図データ読み出しシステム部８に保持された特定の車両に対する通行規制、他の交通規制の情報が判定され、このカーナビゲーション装置１が搭載されてなる車両に適用される交通規制が検出される。またこのようにして検出した交通規制を迂回可能な場合には、このような領域を迂回するように移動経路が検索し直され、さらにこのようにして検索され直された移動経路により道案内の処理が実行される。これによりこのカーナビゲーション装置１では、特定の車両に限った交通規制を考慮してユーザーを道案内することができる。
【００５７】
すなわち例えばディーゼルエンジン車を運転するユーザーにおいては、このような車両の進入を禁止する領域に進入しないように、移動経路が検索され、この移動経路によりユーザーを道案内する。また同様に、電気自動車しか進入が許可されていない領域については、ガソリンエンジン車等を運転するユーザーに対して、このような領域に進入しないように、移動経路が検索され、この移動経路によりユーザーを道案内する。
【００５８】
また例えば目的地がこのような交通制限に係る領域の場合には、他の交通機関を検索してユーザーに通知して、車によるこの目的地までの道案内が拒否される。これによってもこのカーナビゲーション装置１では、特定の車両に限った交通規制を考慮してユーザーを可能な限り道案内することができる。
【００５９】
またこのようにして検索した移動経路によりユーザーを道案内している場合でも、通行を制限する領域への接近により警告が与えられ、また誤って進入した場合には、速やかに脱出するように、警告が与えられ、これによりユーザーを適切に道案内してこのような交通規制を実行あらしむることができる。
【００６０】
また一旦検索して交通規制の領域を通行しないように設定した移動経路により道案内する場合でも、ＶＩＳＣ受信部６で受信される交通規制の情報を車両の特徴を示す情報により判定して交通規制の領域への接近、進入を判定し、通行を制限する領域へ接近した場合には警告が与えられ、また誤って進入した場合には、速やかに脱出するように、警告が与えられる。これにより例えば火災、地震、交通事故等により急遽実施された交通規制、さらには地方の一時的な交通規制にも対応することができ、さらに一段とユーザーを適切に道案内することができる。
【００６１】
またこのような判断基準である車両の特徴を示す情報が自動車検査証の情報であり、ＥＴＣの料金支払いの処理に供する情報であることにより、この情報を有効に利用してユーザーを適切に道案内することができる。
【００６２】
（１−３）実施の形態の効果
以上の構成によれば、搭載された車両の特徴を示す情報により、記憶手段に保持した特定の車両に対する交通規制の情報を判定し、該判定結果に基づいて、車両の駆動系に応じて、地図上における交通規制の表示を切り換えることにより、特定の車両に限った交通規制を考慮してユーザーを道案内することができる。
【００６３】
すなわち車両の特徴を示す情報により交通規制の情報を判定して、車両の駆動系により進入が禁止される領域を迂回して移動経路を検出することにより、特定の車両に限った交通規制を考慮してユーザーを道案内することができる。
【００６４】
また車両の特徴を示す情報により交通規制の情報を判定して、車両の駆動系により進入が禁止される領域を検出し、該領域内への車両によるユーザーの道案内を拒否することにより、例えば目的地が電気自動車のみの進入が許された領域等である場合に、このような領域へのガソリンエンジン車等による乗り入れを防止することができる。
【００６５】
また車両の特徴を示す情報により交通規制の情報を判定して、車両の駆動系により進入が禁止される領域を検出し、該領域内への接近をユーザーに警告することにより、誤ってこのような領域に進入しないようにすることができる。
【００６６】
またこのような車両の特徴を示す情報を、車両に保持された自動車検査証の内容を記録した記録媒体より取得することにより、ユーザーに負担をかけることなく、適切にユーザーを道案内することができる。
【００６７】
またこの記録媒体に記録された情報が、有料道路における通行料金の算出に供される情報であることにより、このような情報を有効に利用して、ユーザーを適切に道案内することができる。
【００６８】
（２）他の実施の形態
なお上述の実施の形態においては、ＶＩＣＳより一時的な交通規制の情報を取得する場合について述べたが、本発明はこれに限らず、変更された交通規制の情報を取得し、この情報により地図データ読み出しシステム部８に保持した交通規制の情報を更新するようにしてもよい。またこのように保持した交通規制の情報の更新に係る情報にあっては、Ｂｌｕｅｔｏｏｔｈ、無線ＬＡＮ等の通信手段を介して取得するようにしてもよい。
【００６９】
また上述の実施の形態においては、単に表示部の表示により、交通規制の領域への接近、脱出をユーザーに警告する場合について述べたが、本発明はこれに限らず、これに代えて、又はこれに加えて音声等により警告するようにしてもよく、さらには違反した場合の罰金等を併せて通知して警告するようにしてもよい。
【００７０】
また上述の実施の形態においては、駆動系、総重量、高さ等による交通規制を考慮する場合について述べたが、本発明はこれに限らず、例えば特定の地域においては、曜日、日にちによって、都市部に進入可能な車両が制限されることにより、車両のナンバーによる交通規制を併せて考慮するようにしてもよい。
【００７１】
また上述の実施の形態においては、車両に保持されたメモリより車両の特徴を示す情報を取得する場合について述べたが、本発明はこれに限らず、例えばユーザーの入力により車両情報を取得する場合等、種々の情報取得方法を広く適用することができる。
【００７２】
【発明の効果】
上述のように本発明によれば、搭載された車両の特徴を示す情報により、記憶手段に保持した特定の車両に対する交通規制の情報を判定し、該判定結果に基づいて、車両の駆動系に応じて、地図上における交通規制の表示を切り換えることにより、特定の車両に限った交通規制を考慮してユーザーを道案内することができる。
【図面の簡単な説明】
【図１】本発明の実施の形態に係るカーナビゲーション装置を示すブロック図である。
【図２】図１のカーナビゲーション装置におけるシステムコントローラの処理手順を示すフローチャートである。
【図３】図２の処理手順による移動経路の説明に供する略線図である。
【図４】迂回路の説明に供する略線図である。
【図５】交通が制限される領域内に目的地が存在する場合の移動経路の説明に供する略線図である。
【図６】通行が制限されない場合の表示画面を示す平面図である。
【図７】通行が制限される場合の表示画面を示す平面図である。
【図８】地図の表示に係るシステムコントローラの処理手順を示すフローチャートである。
【符号の説明】
１……カーナビゲーション装置、２……車両情報記録部、３……ＥＴＣ端末装置、４……位置情報測定システム部、７……システムコントローラ、８……地図データ読み出しシステム部、９……表示部
【図１】
2004053492.tif 000003
【図２】
2004053492.tif 000004
【図３】
2004053492.tif 000005
【図４】
2004053492.tif 000006
【図５】
2004053492.tif 000007
【図６】
2004053492.tif 000008
【図７】
2004053492.tif 000009
【図８】
2004053492.tif 000010